(57)【要約】  【課題】陸屋根面などの建築構造体の一部に対する損傷を減らしたり、無くし、これによって耐久性に優れた高品質な太陽光発電システムを提供する。  【解決手段】建築構造体の一部を、太陽電池パネル設置用基体１と成し、この太陽電池パネル設置用基体１の一主面に溝２を設け、さらにこの太陽電池パネル４に溝装着部３を設けて、溝２に挿入して係止せしめて、この太陽電池パネル設置用基体１に対し太陽電池パネル４を配置した太陽光発電システムである。  【選択図】  図１
2005240387.tif 000002
【特許請求の範囲】
【請求項１】
建築構造体の一部を、太陽電池パネル設置用基体と成し、この太陽電池パネル設置用基体の一主面に溝を設け、さらにこの太陽電池パネルに溝装着部を設けて、上記溝に挿入して係止せしめて、この太陽電池パネル設置用基体に対し太陽電池パネルを配置したことを特徴とする太陽光発電システム。
【請求項２】
前記太陽電池パネルに代えて、他の溝装着部を備えたカバー部材を用いて、この溝装着部を前記溝に挿入して係止せしめて、この太陽電池パネル設置用基体に対しカバー部材を配置したことを特徴とする請求項１に記載の太陽光発電システム。
【請求項３】
前記溝装着部を、前記溝に対しスライドさせるように成したことを特徴とする請求項１または２に記載の太陽光発電システム。
【請求項４】
前記溝装着部を、前記溝に向けて押圧して嵌め込むことを特徴とする請求項１または２に記載の太陽光発電システム。
【発明の詳細な説明】
【技術分野】
【０００１】
本発明は、太陽光発電装置を着脱自在にして、さらに太陽光発電装置を取付けなくても、優れた外観を達成した太陽光発電システムに関するものである。
【背景技術】
【０００２】
太陽電池パネルを屋外に設置するに当り、このパネルを固定する架台を用いるが、この架台を地上や屋根などの上に置いただけであれば、風又は地震などによって、そのパネルに揚力を与え、これによって、浮き上がるという問題点があった。
【０００３】
また、地震が原因になって、その揺れでもって太陽電池パネルが横の方向に移動するという問題点もあった。
【０００４】
これらの課題を解消するために、下記のような太陽光発電システム技術が提案されている。
【０００５】
たとえば、（１）太陽電池パネルを固定する架台を、さらに陸屋根に対し固定するという技術である。
【０００６】
もしくは、別の対策方法として、（２）太陽電池パネルを設置する架台の基礎に対し、その部分の重量を大きくして、要するに重りを敷くという技術も提示されている。
【０００７】
さらにまた、特許文献１によれば、（３）建築物の屋上や地上等の水平な設置スペースに設置する太陽電池モジュール用取付具において、基礎部の上部２箇所に、太陽電池モジュールの周縁部を支持し固定しうるモジュール取付部を設けて、この取付部に対し太陽電池モジュールを設置する構成が提案されている。
【０００８】
このように基礎部を用いる技術してしては、特許文献２にも提案されている。
【０００９】
参考までに特許文献３によれば、所定の連続方向に延びる本体を用いて、この本体の一面に太陽電池セルを保持した構成の太陽電池モジュールが提案されている。
【特許文献１】特開２００３−２３４４９２号
【特許文献２】特開２００１−１５２６１９号
【特許文献３】特開２００２−１１８２７７号
【発明の開示】
【発明が解決しようとする課題】
【００１０】
しかしながら、（１）の太陽光発電システム技術によれば、前記架台を屋根面に固定するが、そのために陸屋根面へ穴を設けており、これにより、屋根面の水漏れに対する耐久性や品質が低下していた。
【００１１】
さらに太陽光発電システムの安全性を高めるため、架台の数が増加し、重量は大きくなり、これに伴ってシステムを取り付けるための労力時間や設置コストが大きくなり、その結果、太陽光発電システム全体の製造コストが大きくなっていた。
【００１２】
また、（２）の太陽光発電システムによれば、風速が大きくなることに伴って、太陽電池パネルに対し浮き上がる力（揚力）が大きくなり、これに対応して、架台の重り部分の重量をさらに増大させる必要があった。
【００１３】
しかしながら、建物の屋根面に、このように非常に重いものを置くことで、建物の上部に大きな重りを配したことで、その構造上不安定になり、さらには地震に対する耐久性が低下するという問題点もあった。
【００１４】
また、（３）の太陽光発電システム技術によれば、太陽電池モジュール用取付具として用いるコンクリートによる基礎部を建築物の屋上に置く構造であることから、同様に屋根面に固定するための取付手段を用いたり、あるいは、その基礎部自体を重くするなどの工夫を要し、これによって叙上のごとき同様な課題がある。
【００１５】
したがって本発明は叙上に鑑みて完成されたものであり、その目的は、従来のごとき架台を取り付ける構造を用いないで、住宅やビル、家屋などの建築構造体に対し、その一部を太陽電池パネル設置用基体と成し、さらにこの基体に設けた溝と、太陽電池パネルに設けた溝装着部とを組み合わせることで、陸屋根面などの建築構造体の一部に対する損傷を減らしたり、無くし、これによって耐久性に優れた高品質な太陽光発電システムを提供することにある。
【００１６】
本発明の他の目的は、安全性や信頼性を高めた太陽光発電システムを提供することにある。
【００１７】
本発明のさらに他の目的は、製造コストを低減した太陽光発電システムを提供することにある。
【課題を解決するための手段】
【００１８】
本発明の太陽光発電システムは、建築構造体の一部を、太陽電池パネル設置用基体と成し、この太陽電池パネル設置用基体の一主面に溝を設け、さらにこの太陽電池パネルに溝装着部を設けて、上記溝に挿入して係止せしめて、この太陽電池パネル設置用基体に対し太陽電池パネルを配置したことを特徴とする。
【００１９】
また、本発明の太陽光発電システムは、前記太陽電池パネルに代えて、他の溝装着部を備えたカバー部材を用いて、この溝装着部を前記溝に挿入して係止せしめて、この太陽電池パネル設置用基体に対しカバー部材を配置したことを特徴とする。
【００２０】
さらにまた、本発明の太陽光発電システムは、前記溝装着部を、前記溝に対しスライドさせるように成したことを特徴とする。
【００２１】
本発明の太陽光発電システムは、前記溝装着部を、前記溝に向けて押圧して嵌め込むことを特徴とする。
【発明の効果】
【００２２】
本発明の太陽光発電システムによれば、上記構成のように、建築構造体の一部を、太陽電池パネル設置用基体と成し、さらにこの太陽電池パネル設置用基体の一主面に溝を設け、一方の太陽電池パネルに溝装着部を設けて、上記溝に挿入して係止することで、この太陽電池パネル設置用基体に対し太陽電池パネルを配置しており、これにより、この基体が建築構造体から容易に離脱しなくなり、太陽電池パネルが太陽電池パネル設置用基体に強固に設置され、その結果、風や地震などにより太陽電池パネルが浮き上がらなくなり、その安全性や信頼性、耐久性を高めることができる。
【００２３】
また、本発明の太陽光発電システムによれば、上記構成のように太陽電池パネル設置用基体に設けた溝と、太陽電池パネルに設けた溝装着部とを組合せることで、太陽電池パネルを太陽電池パネル設置用基体に対し強固に設置できるとともに、太陽電池パネルの着脱が容易になり、その結果、太陽光発電システム全体の製造コストが小さくなる。
【００２４】
本発明の太陽光発電システムによれば、上記構成のように太陽電池パネルに代えて、他の溝装着部を備えたカバー部材を用いて、溝に挿入して係止させることで、太陽電池パネルを用いず、太陽光発電として使用しない場合であっても、その溝に起因して生じる外観や美観の低下をまねくことがなくなり、実用性に優れた太陽光発電システムが得られる。
【００２５】
また、本発明の太陽光発電システムによれば、このようなカバー部材を用いたことで、雨や風雨、嵐などの自然環境によるダメージが減少し、もしくは無くなり、これにより、安全性や信頼性を高め、高品質・高信頼性の太陽光発電システムが得られる。
【００２６】
さらにまた、本発明の太陽光発電システムによれば、上述したごとく、前記溝装着部を、前記溝に対しスライドさせるように成したことで、溝装着部の装着が容易になり、さらに溝装着部を、その長手方向にわたって溝に固定できことから、その固定強度が大きくなり、高い信頼性が得られる。
【００２７】
また、本発明の太陽光発電システムによれば、上述したごとく、前記溝装着部を、前記溝に向けて押圧して嵌め込む構成にしたことで、太陽電池パネル設置用基体に対し太陽電池パネルやカバー部材を配置したり、これらを取り外す際に、太陽電池パネル設置用基体の上側にて、その作業を完了させることができ、これにより、太陽電池パネルやカバー部材の着脱が容易になり、その結果、低コストな太陽光発電システムが提供できる。
【発明を実施するための最良の形態】
【００２８】
以下、本発明を図面でもって詳述する。
【００２９】
（例１）
図１と図２により本発明の太陽光発電システムを説明する。
【００３０】
図１は請求項１に係る太陽光発電システムであり、太陽電池パネルでもって発電する状態を示す。一方、図２は請求項２に係る太陽光発電システムであり、図１に示す太陽光発電システムにおいて、その太陽電池パネルを装着しない場合を示す。
【００３１】
図１３と図１４において、さらにビルなどの建築構造体に対し、本発明の太陽光発電システムを採用した場合を示す。
【００３２】
図１３は請求項２に係る太陽光発電システムを採用した場合であり、図１４は請求項１に係る太陽光発電システムを採用した場合である。
【００３３】
｛太陽電池パネルを装着した太陽光発電システム｝
本例について、図１と図１４により説明する。
【００３４】
まず、図１に示す太陽光発電システムによれば、１は前記建築構造体の一部であって、太陽電池パネル設置用基体と成している。４は太陽電池パネルであり、太陽電池パネル４には溝装着部３が設けられている。
【００３５】
太陽電池パネル設置用基体１は、たとえばコンクリート材を用いたビルなどの場合、その陸屋根自体に対し、あらかじめ太陽電池パネルが設置できるような構造にする。
【００３６】
太陽電池パネル設置用基体１によれば、たとえば、前記建築構造体を構成する建築部材１ａ、接着部材１ｂ、溝形成部材１ｃとからなる。
【００３７】
建築部材１ａとしては、たとえばコンクリート部材や金属部材、セラミックス部材、合成樹脂部材、木工部材などの従来周知の建築用部材からなる。
【００３８】
溝形成部材１ｃとしては、たとえばコンクリート部材や金属部材、セラミックス部材、合成樹脂部材、木工部材などの部材からなる。
【００３９】
これらのコンクリート部材については、セメント、砂、小石を一定の割合で混ぜ、水と練り合わせたものである。さらに鉄筋や鉄骨を含有させて強度を高めてもよい。あるいは、軽量骨材を使用した軽量コンクリート、発泡させた気泡コンクリートを用いてもよい。
【００４０】
上記金属部材には、たとえば、ＳＵＳ、アルミニウム、アルミニウム合金、ステンレス、耐腐食性などの表面処理された鉄、銅などの材質がある。
【００４１】
上記セラミックス部材には、たとえばシリコンカーバイド、シリコンナイトライド、アルミナ、ジルコニア、窒化チタン、炭化チタン、窒化アルミニウムなどのセラミックス材があり、これらを単独もしくは組み合わせて用いる。さらにこのようなセラミックス材に鉄やアルミニムなどの金属材を含有させたサーメット材を用いてもよい。
【００４２】
前記合成樹脂部材には、たとえば熱可塑性樹脂や熱硬化性樹脂などがあり、この熱可塑性樹脂としては、たとえば、ポリエチレン、ポリ塩化ビニル、ポリスチレン、ポリプロピレン、ポリアミド、ポリカーボネート、ポリアセタール、線状ポリエステル、フッ素樹脂、セルロース誘導体などがある。
【００４３】
一方、熱硬化性樹脂については、たとえばレゾール、尿素樹脂、メラミン樹脂、ノボラック（フェノール樹脂）、エポキシ樹脂などがある。
【００４４】
また、接着部材１ｂとしては、建築部材１ａと溝形成部材１ｃとの双方を結合させるものであれば、さまざまな周知の材料を用いることができる。
【００４５】
たとえば、建築部材１ａと溝形成部材１ｃとを、ともにコンクリート部材により構成した場合には、接着部材１ｂにもコンクリート部材を用いると、強い固定が安定して得られる点でよい。
【００４６】
その他の接着部材１ｂとして、たとえばポリマーとコンクリートとの複合材であるポリマーコンクリート材を用いてもよい。このポリマーとして、たとえばエポキシ樹脂、ポリエステル、ウレタン、メチルメタクリレート（ＭＭＡ）、アクリルラテックスなどがある。
【００４７】
かかる接着部材１ｂについては、建築部材１ａと溝形成部材１ｃとの双方をともにコンクリート部材により構成した場合を除く、他の組合せでも、さまざまな周知の接着部材１ｂを用いることができる。
【００４８】
このような構成によれば、建築部材１ａの上に接着部材１ｂを介して溝形成部材１ｃを固定し、これによって、上記のような太陽電池パネル設置用基体１となる。
【００４９】
また、溝形成部材１ｃについては、外面に溝２が形成されている。この溝２に太陽電池パネル４の溝装着部３が着脱できるような構造にする。
【００５０】
そのような着脱構造には、たとえば溝２を直線状もしくは曲線状、屈折状のいずれでもよく、望ましくは直線状にすることで、この溝２に対し溝装着部３をスライドでき、これにより、太陽電池パネル設置用基体１に対し太陽電池パネル４の着脱が容易になる点でよい。
【００５１】
溝２を曲線状や屈折状にした場合には、これに対応して、溝装着部３も曲線状や屈折状の形状と成すとよく、そして、太陽電池パネル設置用基体１に対し、その上から太陽電池パネル４を勘合させるように押圧することで、溝２の凹部内に溝装着部３を嵌め込み、装着し固定すればよい。
【００５２】
もしくは溝２を直線状もしくは曲線状、屈折状のいずれの構成にした場合でも、この溝装着部３を凸状体にして、これを、その溝２に挿入してスライドできるようにして装着する構造にしてもよい。
【００５３】
太陽電池パネル４の溝装着部３については、たとえばコンクリート部材や金属部材、セラミックス部材、合成樹脂部材、木工部材などの部材からなる。
【００５４】
このコンクリート部材についても、セメント、砂、小石を一定の割合で混ぜ、水と練り合わせたものである。さらに鉄筋や鉄骨を含有させて強度を高めてもよい。あるいは、軽量骨材を使用した軽量コンクリート、発泡させた気泡コンクリートを用いてもよい。
【００５５】
上記金属部材には、たとえば、ＳＵＳ、アルミニウム、アルミニウム合金、ステンレス、耐腐食性などの表面処理された鉄、銅などの材質がある。
【００５６】
上記セラミックス部材として、たとえばシリコンカーバイド、シリコンナイトライド、アルミナ、ジルコニア、窒化チタン、炭化チタン、窒化アルミニウムなどのセラミックス材があり、これらを単独もしくは組み合わせて用いる。さらにこのようなセラミックス材に鉄やアルミニムなどの金属材を含有させたサーメット材を用いてもよい。
【００５７】
前記合成樹脂部材には、たとえば熱可塑性樹脂や熱硬化性樹脂などがあり、この熱可塑性樹脂としては、たとえば、ポリエチレン、ポリ塩化ビニル、ポリスチレン、ポリプロピレン、ポリアミド、ポリカーボネート、ポリアセタール、線状ポリエステル、フッ素樹脂、セルロース誘導体などがある。
【００５８】
一方、熱硬化性樹脂については、たとえばレゾール、尿素樹脂、メラミン樹脂、ノボラック（フェノール樹脂）、エポキシ樹脂などがある。
【００５９】
このように上述した構成の太陽電池パネル４の溝装着部３を、太陽電池パネル設置用基体１の溝２に装着するには、たとえば、溝装着部３を、溝２に対しスライドさせるように成したり、もしくは溝装着部３を、溝２に向けて押圧して嵌め込んでもよい。
【００６０】
かくして本発明の太陽光発電システムによれば、太陽電池パネル設置用基体１の一主面に溝２を設け、さらにこの太陽電池パネル４に溝装着部３を設け、溝２に溝装着部３を挿入して係止したことで、この太陽電池パネル設置用基体１に対し太陽電池パネル４を配置し、これにより、この基体１が建築構造体から容易に離脱しなくなり、太陽電池パネル４が太陽電池パネル設置用基体１に強固に設置され、その結果、風や地震などにより太陽電池パネルが浮き上がらなくなり、その安全性や信頼性、耐久性を高めることができた。
【００６１】
また、本発明の太陽光発電システムによれば、太陽電池パネル４を太陽電池パネル設置用基体１に対し強固に設置できるとともに、太陽電池パネル４の着脱が容易になり、その結果、太陽光発電システム全体の製造コストが小さくなった。
【００６２】
つぎに上記構成の太陽光発電システムをビルなどの建築構造体に対し、本発明の太陽光発電システムを採用した場合の一例を、図１４に示す。
【００６３】
同図によれば、その建築構造体の斜視図であり、陸屋根の上に４個のシステムａ、ｂ、ｃ、ｄをマトリックス状に配置しており、そのうちシステムａ、ｂに対し、太陽電池パネル４を装着している。また、システムｃ、ｄに対しては、太陽電池パネル４を装着しないで、カバー部材を装着した構成である。
【００６４】
このようにシステムｃ、ｄに対し、カバー部材を装着したものであっても、必要に応じて、これらシステムｃ、ｄにも太陽電池パネル４を装着してもよい。
【００６５】
｛太陽電池パネルを装着していない場合の太陽光発電システム｝
本例について、図２と図４と図１３により説明する。
【００６６】
まず、図２に示す太陽光発電システムによれば、図１に示す太陽光発電システムに対し前記太陽電池パネル４に代えて、他の溝装着部を備えたカバー部材５を用いて、この溝装着部を前記溝２に挿入して係止し、これにより、この太陽電池パネル設置用基体１に対しカバー部材５を配置している。
【００６７】
図２に示す太陽光発電システムによれば、太陽電池パネル４の溝装着部３とほぼ同一形状または同一構造の他の溝装着部を備えたカバー部材５を用いる。そして、このカバー部材５の溝装着部を溝２に挿入し係止させ、これによって太陽電池パネル設置用基体１に対しカバー部材５を配置する。
【００６８】
参考までに、図４はカバー部材５を配置しない太陽電池パネル設置用基体１を示す。
【００６９】
同図に示す溝２から明らかなとおり、その断面凹状形は基体１の上面より幅を一定にして垂直の方向に通る開通部があり、そして、ある深さより開通の幅が次第に広がり、幅が最大となった深さ部分より、さらに溝の下面に向けて幅を一定にした構造である。
【００７０】
そして、このような構造に対応した形状の溝装着部３を設けた太陽電池パネル４を、溝２にスライドしながら挿入すると、スライド方向以外の方向に対し係止する力が働き、これによって太陽電池パネル４は、風による吹き飛びや、地震による横方向の移動に対し、その動きが阻止される。
【００７１】
つぎにカバー部材５（他の溝装着部）を述べる。
【００７２】
このカバー部材５については、たとえばコンクリート部材や金属部材、セラミックス部材、合成樹脂部材、木工部材などの部材からなる。
【００７３】
このコンクリート部材は、セメント、砂、小石を一定の割合で混ぜ、水と練り合わせたものである。さらに鉄筋や鉄骨を含有させて強度を高めてもよい。あるいは、軽量骨材を使用した軽量コンクリート、発泡させた気泡コンクリートを用いてもよい。
【００７４】
上記金属部材には、たとえば、ＳＵＳ、アルミニウム、アルミニウム合金、ステンレス、耐腐食性などの表面処理された鉄、銅などの材質がある。
【００７５】
上記セラミックス部材には、たとえばシリコンカーバイド、シリコンナイトライド、アルミナ、ジルコニア、窒化チタン、炭化チタン、窒化アルミニウムなどのセラミックス材があり、これらを単独もしくは組み合わせて用いる。さらにこのようなセラミックス材に鉄やアルミニムなどの金属材を含有させたサーメット材を用いてもよい。
【００７６】
前記合成樹脂部材には、たとえば熱可塑性樹脂や熱硬化性樹脂などがあり、この熱可塑性樹脂としては、たとえば、ポリエチレン、ポリ塩化ビニル、ポリスチレン、ポリプロピレン、ポリアミド、ポリカーボネート、ポリアセタール、線状ポリエステル、フッ素樹脂、セルロース誘導体などがある。熱硬化性樹脂については、たとえばレゾール、尿素樹脂、メラミン樹脂、ノボラック（フェノール樹脂）、エポキシ樹脂などがある。
【００７７】
上述した構成のカバー部材５（他の溝装着部）を、太陽電池パネル設置用基体１の溝２に装着するには、たとえば、このカバー部材５を、溝２に対しスライドさせるように成したり、もしくはカバー部材５を、溝２に向けて押圧して嵌め込んでもよい。
【００７８】
かくして本発明の太陽光発電システムによれば、上記構成のように太陽電池パネル４に代えて、他の溝装着部を備えたカバー部材５を用いて、溝に挿入して係止させることで、太陽電池パネル４を用いず、太陽光発電として使用しない場合であっても、その溝に起因して生じる外観や美観の低下をまねくことがなくなり、実用性に優れた太陽光発電システムが得られた。
【００７９】
また、本発明の太陽光発電システムによれば、このようなカバー部材５を用いたことで、雨や風雨、嵐などの自然環境によるダメージが減少し、もしくは無くなり、これにより、安全性や信頼性を高め、高品質・高信頼性の太陽光発電システムが得られた。
【００８０】
なお、本例によれば、陸屋根の上に４個のシステムａ、ｂ、ｃ、ｄをマトリックス状に配置しているが、これに限定されるものではなく、２個、３個、もしくは５個、６個以上のシステムにしてもよい。
【００８１】
（例２）
（例１）の太陽光発電システムによれば、太陽電池パネル設置用基体１として、建築部材１ａ、接着部材１ｂ、溝形成部材１ｃとの組合せ構造であるが、これに代えて、建築部材１ａに対し、あらかじめ溝形成部材１ｃに相当する溝を形成し、これによって接着部材１ｂや溝形成部材１ｃを用いない構造にしてもよい。なお、その他の構成は（例１）に示すとおりである。
【００８２】
このように溝を形成した建築構造体であれば、太陽電池パネル４の溝装着部３を、その溝に挿入して係止したことで、この太陽電池パネル設置用基体１に対し太陽電池パネル４を配置し、これによっても、同様に太陽電池パネル４が建築構造体（太陽電池パネル設置用基体１）に強固に設置され、その結果、風や地震などにより太陽電池パネルが浮き上がらなくなり、その安全性や信頼性、耐久性を高めることができ、さらに太陽光発電システム全体の製造コストが小さくなった。
【００８３】
他方、太陽電池パネルを装着していない場合の太陽光発電システムにおいても、上記構成のように太陽電池パネル４に代えて、他の溝装着部を備えたカバー部材５を用いて、溝に挿入して係止させることで、太陽電池パネル４を用いず、太陽光発電として使用しない場合であっても、その溝に起因して生じる外観や美観の低下をまねくことがなくなり、実用性に優れた太陽光発電システムが得られた。
【００８４】
また、本発明の太陽光発電システムによれば、同様にカバー部材５を用いたことで、雨や風雨、嵐などの自然環境によるダメージが減少し、もしくは無くなり、これにより、安全性や信頼性を高め、高品質・高信頼性の太陽光発電システムが得られた。
【００８５】
また、上記構成のカバー部材５によれば、その上面が太陽電池パネル設置用基体１の上面とほぼ同一面を成すことで、屋根などの審美性、美観が保たれた。
【００８６】
（例３）
（例１）の太陽光発電システムによれば、太陽電池パネルを装着していない場合において、太陽電池パネル４に代えて、前述したごとき、他の溝装着部を備えたカバー部材５を用いたが、これに代えて、図３に示すごとく、一対のカバー部材５を用意し、一方のカバー部材５を溝２の一方の開口よりスライドさせながら挿入し、他方のカバー部材５を溝２の他方の開口よりスライドさせながら挿入してもよい。なお、その他の構成は（例１）に示すとおりである。
【００８７】
このように一対のカバー部材５を用いたことで、その長手寸法を（例１）の太陽光発電システムに用いたカバー部材５の長手寸法に比べて、ほぼ半分にすることができ、これにより、溝２の開口よりスライドさせるに当り、挿入しやすくなる。
【００８８】
しかも、双方のカバー部材５に孔９を形成しており、これによってフック（図示せず）により引っ掛けるなどしてスライドしやすくなるという利点もある。
【００８９】
かくして本例のごとく、カバー部材５を、溝２に対しスライドさせるように成したことで、カバー部材５の装着が容易になり、さらにカバー部材５を、その長手方向にわたって溝に固定できことから、その固定強度が大きくなり、高い信頼性が得られる。
【００９０】
（例４）
（例１）の太陽光発電システムによれば、太陽電池パネルを装着していない場合において、太陽電池パネル４に代えて、前述したごとき、他の溝装着部を備えたカバー部材５を用いたが、これに代えて、図５に示すごとき、さまざまな構成のカバー部材５を用意し、このカバー部材５を溝２に挿入してもよい。なお、その他の構成は（例１）に示すとおりである。
【００９１】
同図によれば、ａ、ｂ、ｃ、ｄの４とおりの構成を示す。
【００９２】
図５のａは、（例１）の太陽光発電システムに用いたカバー部材５であるが、これに代えて、同図ｂのごとき、中空状の構造にしてもよい。
【００９３】
その他、図５のｃに示すごとき、長尺棒状体の両側に溝２に挿入される部材を配置した構成でもよい。あるいは、図５のｄに示すごとき、その部材に対し貫通構造にしてもよい。
【００９４】
本例によれば、上記構成の溝装着部を備えたカバー部材５を用いたことで、溝装着部を、溝２に対しスライドさせるように成し、溝装着部の装着が容易になり、さらに溝装着部を、その長手方向にわたって溝に固定できことから、その固定強度が大きくなり、高い信頼性が得られた。
【００９５】
また、本発明の太陽光発電システムによれば、上述したごとく、前記溝装着部を、溝２に向けて押圧して嵌め込んでもよく、その際、カバー部材５が変形しやすくなったことで、その嵌め込みが容易になった。
【００９６】
そして、太陽電池パネル設置用基体に対しカバー部材を配置したり、これらを取り外す際に、太陽電池パネル設置用基体の上側にて、その作業を完了させることができ、これにより、カバー部材の着脱が容易になり、その結果、低コストな太陽光発電システムが提供できた。
【００９７】
（例５）
（例１）の太陽光発電システムによれば、太陽電池パネルを装着した場合において、前述したごとき、溝装着部３を備えた太陽電池パネル４を用いたが、これに代えて、図６に示すごとき、さまざまな構成の溝装着部３を用意し、この溝装着部３を溝２に挿入してもよい。なお、その他の構成は（例１）に示すとおりである。
【００９８】
同図によれば、ａ、ｂ、ｃ、ｄ、ｅ、ｆの６とおりの構成を示す。
【００９９】
図６のａは、（例１）の太陽光発電システムに用いた溝装着部３である。７は太陽電池パネルに溝装着部３を取り付けるための固定部分である。
【０１００】
図６ａに示す溝装着部３に代えて、同図ｂのごとき、中空状の構造にしてもよい。
【０１０１】
その他、図６ｃに示すごとき、長尺棒状体の両側に溝２に挿入される部材を配置した構成でもよい。あるいは、図６のｄに示すごとき、図６ｃに示す溝装着部３より長尺棒状体を取り外してもよい。
【０１０２】
また、図６ｅに示すごとき、図６ｃに示す溝装着部３より、その部材に対し貫通構造にしてもよい。あるいは、図６ｆに示すごとき、図６ｅに示す溝装着部３より長尺棒状体を取り外してもよい。
【０１０３】
本例によれば、上記構成の溝装着部３を備えたカバー部材５を用いたことで、溝装着部を、溝２に対しスライドさせるように成し、溝装着部の装着が容易になり、さらに溝装着部を、その長手方向にわたって溝に固定できことから、その固定強度が大きくなり、高い信頼性が得られた。
【０１０４】
また、本発明の太陽光発電システムによれば、上述したごとく、前記溝装着部を、溝２に向けて押圧して嵌め込んでもよく、その際、カバー部材５が変形しやすくなったことで、その嵌め込みが容易になった。そして、太陽電池パネル設置用基体に対しカバー部材を配置したり、これらを取り外す際に、太陽電池パネル設置用基体の上側にて、その作業を完了させることができ、これにより、カバー部材の着脱が容易になり、その結果、低コストな太陽光発電システムが提供できた。
【０１０５】
（例６）
（例１）の太陽光発電システムに対し、太陽電池パネル設置用基体１の溝２の構成を図７に示すように変えてもよい。
【０１０６】
すなわち、（例１）の太陽光発電システムの溝２は、断面が山形状とこの山形状の頂部に配した小さな矩形状との組合せであるが、これに対し、本例によれば、その山形状断面も矩形状断面にして、この頂部に配した小さな矩形状との組合せでもよい。
【０１０７】
また、図８に示すごとき、さまざまな構成のカバー部材５を用意し、このカバー部材５を溝２に挿入してもよい。
【０１０８】
同図によれば、ａ、ｂ、ｃ、ｄの４とおりの構成を示す。
【０１０９】
図５のａは、棒状のカバー部材５であり、同図ｂは中空状である。
【０１１０】
その他、図８のｃに示すごとき、長尺棒状体の両側に溝２に挿入される部材を配置した構成でもよい。あるいは、図８のｄに示すごとき、その部材に対し貫通構造にしてもよい。
【０１１１】
本例によれば、上記構成の溝装着部を備えたカバー部材５を用いたことで、溝装着部を、溝２に対しスライドさせるように成し、溝装着部の装着が容易になり、さらに溝装着部を、その長手方向にわたって溝に固定できことから、その固定強度が大きくなり、高い信頼性が得られた。
【０１１２】
また、本例によれば、上述したごとく、前記溝装着部を、溝２に向けて押圧して嵌め込んでもよく、その際、カバー部材５が変形しやすくなったことで、その嵌め込みが容易になった。そして、太陽電池パネル設置用基体に対しカバー部材を配置したり、これらを取り外す際に、太陽電池パネル設置用基体の上側にて、その作業を完了させることができ、これにより、カバー部材の着脱が容易になり、その結果、低コストな太陽光発電システムが提供できた。
【０１１３】
さらにまた、本例によれば、図９に示すごとき、さまざまな構成の溝装着部を用意し、この溝装着部を溝２に挿入してもよい。
【０１１４】
同図によれば、ａ、ｂ、ｃ、ｄ、ｅ、ｆの６とおりの構成を示す。
【０１１５】
図９ａは棒状の溝装着部である。また、図９ａに示す溝装着部３に代えて、同図ｂのごとき、中空状の構造にしてもよい。
【０１１６】
その他、図９ｃに示すごとき、長尺棒状体の両側に溝２に挿入される部材を配置した構成でもよい。あるいは、図９ｄに示すごとき、図９ｃに示す溝装着部より長尺棒状体を取り外してもよい。
【０１１７】
また、図９ｅに示すごとき、図９ｃに示す溝装着部３より、その部材に対し貫通構造にしてもよい。あるいは、図９ｆに示すごとき、図９ｅに示す溝装着部３より長尺棒状体を取り外してもよい。
【０１１８】
本例によれば、上記構成の溝装着部３を備えた太陽電池パネルを用いたことで、溝装着部を、溝２に対しスライドさせるように成し、溝装着部の装着が容易になり、さらに溝装着部を、その長手方向にわたって溝に固定できことから、その固定強度が大きくなり、高い信頼性が得られた。
【０１１９】
また、本発明の太陽光発電システムによれば、上述したごとく、前記溝装着部を、溝２に向けて押圧して嵌め込んでもよく、その際、カバー部材５が変形しやすくなったことで、その嵌め込みが容易になった。そして、太陽電池パネル設置用基体に対しカバー部材を配置したり、これらを取り外す際に、太陽電池パネル設置用基体の上側にて、その作業を完了させることができ、これにより、カバー部材の着脱が容易になり、その結果、低コストな太陽光発電システムが提供できた。
【０１２０】
（例７）
（例１）の太陽光発電システムに対し、太陽電池パネル設置用基体１の溝２の構成を図１０に示すように変えてもよい。
【０１２１】
本例によれば、溝２の内側面につば部や切込を設けた構造にしている。
【０１２２】
また、図１１に示すごとき構成のカバー部材５を用意し、このカバー部材５を溝２に挿入してもよい。
【０１２３】
本例によれば、上記構成の溝装着部を備えたカバー部材５を用いたことで、溝装着部を、溝２に対しスライドさせるように成し、溝装着部の装着が容易になり、さらに溝装着部を、その長手方向にわたって溝に固定できことから、その固定強度が大きくなり、高い信頼性が得られた。
【０１２４】
さらに本例によれば、図１２に示すごとき構成の溝装着部３を用意し、この溝装着部３を溝２に挿入してもよい。
【０１２５】
本例によれば、上記構成の溝装着部３を備えた太陽電池パネルを用いたことで、溝装着部を、溝２に対しスライドさせるように成し、溝装着部の装着が容易になり、さらに溝装着部を、その長手方向にわたって溝に固定できことから、その固定強度が大きくなり、高い信頼性が得られた。
【０１２６】
（例８）
上記（例１）〜（例７）に示す太陽光発電システムによれば、図１３と図１４に示すごとく、ビルなどの建築構造体に対し、本発明の太陽光発電システムを採用した場合であるが、これに代えて、瓦やカラーベストなどを用いた屋根構造の家屋（建築構造体）を例にして説明する。
【０１２７】
和風住宅における建築構造体（屋根構造体）によれば、通常、複数の瓦を並べて構成された外側と、この外側部材を内側に接続させる瓦下地材とからなる。
【０１２８】
そして、これらの複数の瓦同士の間や、瓦と瓦下地材との間は、クギ、ビス等の機械的方法により接合する。あるいは、エポキシ樹脂もしくは酢酸ビニル樹脂等の硬い樹脂で接着する構造である。
【０１２９】
さらに具体例としては、住宅用建築物の屋根構成部分に取り付けられた木造合板等の瓦下地材（主体となる野地板）の上に合成ゴム等で成形された防水シートを敷設し、さらにその上に瓦の寸法に合わせた所定の間隔で瓦桟木を釘やネジを使って瓦下地材に固定する。
【０１３０】
つぎに瓦に成形された引っ掛け部を、この瓦桟木に引っ掛けて、瓦を仮固定する。そして、あらかじめ瓦に設けられた釘穴に、瓦締結用釘を釘先から挿入し、金鎚で瓦下地材に向かって打込む。
【０１３１】
このような家屋に対し、本発明を応用した場合を説明する。
【０１３２】
図１６は請求項１に係る太陽光発電システムであり、太陽電池パネルでもって発電する状態を示す。一方、図１５は請求項２に係る太陽光発電システムであり、図１６に示す太陽光発電システムにおいて、その太陽電池パネルを装着しない場合を示す。
【０１３３】
｛太陽電池パネルを装着した太陽光発電システム｝
本発明の太陽光発電システムを用いた場合を図１６により説明する。
【０１３４】
まず、図１６に示す太陽光発電システムによれば、和風住宅における屋根構造体であって、前記瓦下地材に対し、太陽電池パネル設置用基体を構成する。
【０１３５】
すなわち、瓦やカラーベストなどを用いた屋根構造においては、垂木の上に合板を設け、この合板の上に瓦やカラーベストなどを配置する構造において、瓦やカラーベストなどを支持する合板などの木工部材（瓦下地材）に対し、太陽電池パネルが設置できるような構造にして、このような構造を、本発明の太陽電池パネル設置用基体とする。
【０１３６】
また、このような木工部材の太陽電池パネル設置用基体の部分に、金属板を貼り付け、補強するとよい。
【０１３７】
前記瓦としては、たとえば和型セメント瓦、厚型スレート、石綿スレート、アスファルトシングル、金属瓦、カラーベスト（クボタ社製）、フルベストリード（松下電工社製）等がある。
【０１３８】
一方、前記瓦下地材としては、たとえば合板、木根太、石膏ボード、スレート板、コンクリート等がある。
【０１３９】
そして、複数の瓦同士の間、および／または上記瓦と瓦下地材との間を、たとえば変成シリコーン系接着剤を用いて接着する。
【０１４０】
さらに前述したごとく、同様に太陽電池パネル設置用基体（瓦下地材）の一主面に溝を設け、さらにこの太陽電池パネルの溝装着部を、この溝に挿入して係止したことで、この太陽電池パネル設置用基体に対し太陽電池パネルを配置している。
【０１４１】
このような構成は図１６に示すとおりであり、同図は、その建築構造体の斜視図である。
【０１４２】
陸屋根の上に２個のシステムａ、ｂを配置しており、そのうちシステムａに対し、太陽電池パネルを装着している。また、システムｂに対しては、太陽電池パネルを装着しないで、カバー部材を装着した構成である。
【０１４３】
かくして本発明によれば、この太陽電池パネル設置用基体が建築構造体から容易に離脱しなくなり、太陽電池パネルが太陽電池パネル設置用基体に強固に設置され、その結果、風や地震などにより太陽電池パネルが浮き上がらなくなり、その安全性や信頼性、耐久性を高めることができた。
【０１４４】
また、本発明の太陽光発電システムによれば、太陽電池パネルを太陽電池パネル設置用基体（瓦下地材）に対し強固に設置できるとともに、太陽電池パネルの着脱が容易になり、その結果、太陽光発電システム全体の製造コストが小さくなった。
【０１４５】
｛太陽電池パネルを装着していない場合の太陽光発電システム｝
図１５は、上記構成のように太陽電池パネルに代えて、他の溝装着部を備えたカバー部材を用いて、溝に挿入して係止させることで、太陽電池パネルを用いず、太陽光発電として使用しない場合である。
【０１４６】
そして、本発明によれば、同様に陸屋根の上の２個のシステムａ、ｂにおいて、太陽電池パネル設置用基体に対しカバー部材を配置することで、その溝に起因して生じる外観や美観の低下をまねくことがなくなり、実用性に優れた太陽光発電システムが得られる。
【０１４７】
また、本発明の太陽光発電システムによれば、このようなカバー部材を用いたことで、雨や風雨、嵐などの自然環境によるダメージが減少し、もしくは無くなり、これにより、安全性や信頼性を高め、高品質・高信頼性の太陽光発電システムが得られる。
【０１４８】
さらにまた、本発明の太陽光発電システムによれば、（例１）〜（例７）に示す太陽光発電システムにて述べたごとく、前記溝装着部を、前記溝に対しスライドさせるように成したことで、溝装着部の装着が容易になり、さらに溝装着部を、その長手方向にわたって溝に固定できことから、その固定強度が大きくなり、高い信頼性が得られる。
【０１４９】
また、本発明の太陽光発電システムによれば、上述したごとく、前記溝装着部を、前記溝に向けて押圧して嵌め込む構成にしたことで、太陽電池パネル設置用基体に対し太陽電池パネルやカバー部材を配置したり、これらを取り外す際に、太陽電池パネル設置用基体の上側にて、その作業を完了させることができ、これにより、太陽電池パネルやカバー部材の着脱が容易になり、その結果、低コストな太陽光発電システムが提供できる。
【図面の簡単な説明】
【０１５０】
【図１】本発明の太陽光発電システムの要部を示す斜視図である。
【図２】本発明の太陽光発電システムの要部を示す斜視図である。
【図３】本発明の他の太陽光発電システムの要部を示す斜視図である。
【図４】本発明の太陽光発電システムにおける太陽電池パネル設置用基体を示す斜視図である。
【図５】ａ、ｂ、ｃ、ｄは本発明の太陽光発電システムにおけるカバー部材を示す斜視図である。
【図６】ａ、ｂ、ｃ、ｄ、ｅ、ｆは本発明の太陽光発電システムにおける太陽電池パネルの溝装着部を示す斜視図である。
【図７】本発明の太陽光発電システムにおける他の太陽電池パネル設置用基体を示す斜視図である。
【図８】ａ、ｂ、ｃ、ｄは本発明の太陽光発電システムにおける他のカバー部材を示す斜視図である。
【図９】ａ、ｂ、ｃ、ｄ、ｅ、ｆは本発明の太陽光発電システムにおける太陽電池パネルの他の溝装着部を示す斜視図である。
【図１０】本発明の太陽光発電システムにおけるさらに他の太陽電池パネル設置用基体を示す斜視図である。
【図１１】本発明の太陽光発電システムにおけるさらに他のカバー部材を示す斜視図である。
【図１２】本発明の太陽光発電システムにおける太陽電池パネルのさらに他の溝装着部を示す斜視図である。
【図１３】本発明の太陽光発電システムを用いた建築構造体の斜視図である。
【図１４】本発明の太陽光発電システムを用いた建築構造体の斜視図である。
【図１５】本発明の太陽光発電システムを用いた他の建築構造体の斜視図である。
【図１６】本発明の太陽光発電システムを用いた他の建築構造体の斜視図である。
【符号の説明】
【０１５１】
１…太陽電池パネル設置用基体
１ａ…建築部材
１ｂ…接着部材
１ｃ…溝形成部材
２…溝
３…溝装着部
４…太陽電池パネル
５…カバー部材
【図１】
2005240387.tif 000003
【図２】
2005240387.tif 000004
【図３】
2005240387.tif 000005
【図４】
2005240387.tif 000006
【図５】
2005240387.tif 000007
【図６】
2005240387.tif 000008
【図７】
2005240387.tif 000009
【図８】
2005240387.tif 000010
【図９】
2005240387.tif 000011
【図１０】
2005240387.tif 000012
【図１１】
2005240387.tif 000013
【図１２】
2005240387.tif 000014
【図１３】
2005240387.tif 000015
【図１４】
2005240387.tif 000016
【図１５】
2005240387.tif 000017
【図１６】
2005240387.tif 000018